(57)【要約】    【課題】  デンタルフロスの引張りや弛緩操作、および取付けや交換操作が容易で、使用時の操作性のみでなく、使用後の手入れや再組立ても簡単なデンタルフロスホルダを提供する。    【解決手段】  本体２と、デンタルフロス７１が巻回され、本体２内部に収納されるスプール７と、本体２に進退可能に取付けられ、スプール７から伸延するデンタルフロス７１を支持する湾曲した２つの支持バー１３，１４が形成されている支持部材１と、本体２に回転可能に取付けられる制御部材５と、本体２の内部に回転可能に取付けられ、上端部が支持部材１と連結され、下端部が制御部材５と連結された回転部材３と、を有し、制御部材５を回転させることにより、回転部材３が回転して支持部材１を本体２に対して軸方向に進退させることを特徴とする。【選択図】            図２
2005296236.tif 000002
【特許請求の範囲】
【請求項１】
本体と、
当該本体に対し進退可能に取付けられた支持部材と、
当該支持部材と連結され、回転することにより前記支持部材を前記本体に対し軸方向に動かす回転部材と、
当該回転部材と連結されかつ前記本体に対し回転可能に設けられた、前記回転部材を回転させる制御部材と、
を有することを特徴とするデンタルフロスホルダ。
【請求項２】
前記本体は、一端部に断面非円形のガイド孔を有する第１筒状部を有し、前記支持部材は、前記ガイド孔に進退可能に挿入されるガイド部を有することを特徴とする請求項１に記載のデンタルフロスホルダ。
【請求項３】
前記第１筒状部は、外側面に側面ネジ部が形成され、該側面ネジ部にナットがねじ締めされていることを特徴とする請求項２に記載のデンタルフロスホルダ。
【請求項４】
前記ガイド部は、内部にガイド部用ネジ孔が形成され、該ガイド部用ネジ孔に前記回転部材のネジ棒が螺合されていることを特徴とする請求項２に記載のデンタルフロスホルダ。
【請求項５】
前記第１筒状部は、内部に弾性を有する複数の固定フックが設けられ、該固定フックに前記回転部材の前記ネジ棒の基部に形成されたテーパ状の固定部が当接し保持されていることを特徴とする請求項４に記載のデンタルフロスホルダ。
【請求項６】
前記本体は、前記第１筒状部の他端に第２筒状部が形成されていることを特徴とする請求項２〜５に記載のデンタルフロスホルダ。
【請求項７】
前記第２筒状部は、内面の端部に環状の受部が形成され、当該受部に前記回転部材の当接部が保持されていることを特徴とする請求項６に記載のデンタルフロスホルダ。
【請求項８】
前記本体の内部には、一端が前記当接部に保持され、他端が前記制御部材の内部で保持される固定スリーブが前記第２筒状部から前記制御部材にかけて収納されていることを特徴とする請求項７に記載のデンタルフロスホルダ。
【請求項９】
前記第２筒状部は、内周面に軸方向に伸延する複数の固定溝が形成され、当該固定溝に前記固定スリーブの外周面に軸方向に伸延して形成された複数の固定リブが嵌合し、前記固定スリーブが前記第２筒状部内で回転しないように保持することを特徴とする請求項８に記載のデンタルフロスホルダ。
【請求項１０】
前記固定スリーブは、閉じた内壁を有する収納部を内部に有し、該内壁には、前記回転部材が貫通する通孔を形成したことを特徴とする請求項８または請求項９に記載のデンタルフロスホルダ。
【請求項１１】
前記固定スリーブの収納部には、前記回転部材に対して回転可能とされたスプールが収納されていることを特徴とする請求項８〜１０に記載のデンタルフロスホルダ。
【請求項１２】
前記スプールに巻回されたデンタルフロスは、前記固定スリーブの一端に形成された切り抜き部と、前記第２筒状部の一端に形成された切込み部とを通って、外部へ導かれることを特徴とする請求項１１に記載のデンタルフロスホルダ。
【請求項１３】
前記第２筒状部の外面には、カッターが設けられていることを特徴とする請求項６〜１２に記載のデンタルフロスホルダ。
【請求項１４】
前記支持部材は、略逆Ｌ字状に湾曲した２つの支持バーが所定の間隔を持って対設されていることを特徴とする請求項１または２に記載のデンタルフロスホルダ。
【請求項１５】
前記２つの支持バーは、それぞれ表面にガイド溝と、先端部に先端凹部を有することを特徴とする請求項１４に記載のデンタルフロスホルダ。
【請求項１６】
前記回転部材は、断面非円形の係合部が形成され、当該係合部に嵌合する断面非円形の係合孔が前記制御部材の内部に形成され、前記係合部と係合孔とに係合により前記制御部材が回転部材に固定されていることを特徴とする請求項１に記載のデンタルフロスホルダ。
【請求項１７】
前記回転部材は、端部に栓体部用ネジ部を有し、当該栓体部用ネジ部がねじ込まれる栓体部用ネジ孔が前記制御部材に設けられ、前記栓体部用ネジ部を栓体部用ネジ孔に螺合することにより前記回転部材と制御部材を連結したことを特徴とする請求項１〜１６に記載のデンタルフロスホルダ。
【請求項１８】
前記制御部材は、前記栓体が嵌合する凹部を有することを特徴とする請求項１７に記載のデンタルフロスホルダ。
【発明の詳細な説明】
【技術分野】
【０００１】
本発明は、デンタルフロスの引張りや弛緩操作、および取付けや交換操作が容易なデンタルフロスホルダに関する。
【背景技術】
【０００２】
デンタルフロスホルダは、歯間をきれいにするデンタルフロスを位置設定し保持するものである（たとえば、特許文献１参照）。
【０００３】
図７は特許文献１の発明に係るデンタルフロスホルダの斜視図である。このデンタルフロスホルダは、本体１０１に回転可能に取付けられるロックキャップ１０２によりデンタルフロス１０３が巻かれたスプール１０４をコントロールし、デンタルフロス１０３を引張りまたは弛緩させ、支持バー１０５，１０６間に掛け渡されているデンタルフロス１０３の張力を調整するものである。
【０００４】
しかし、ロックキャップ１０２は、本体１０１の蓋を兼ねているため回転操作する部分が小さく、回転には大きな力が必要で、高齢者や子供には使用上不便である。特に、デンタルフロス１０３は、歯間に挿入することから、引張り状態で所定の張力を有していることが重要であるが、小さなロックキャップ１０２では、所定の張力が得ることが困難である。
【特許文献１】米国特許Ｎｏ５５０３１６９号明細書
【発明の開示】
【発明が解決しようとする課題】
【０００５】
本発明は、上記従来技術に伴う課題を解決するためになされたもので、デンタルフロスの引張りや弛緩操作、および取付けや交換操作が容易で、使用時の操作性のみでなく、使用後の手入れや再組立ても簡単なデンタルフロスホルダを提供することを目的とする。
【課題を解決するための手段】
【０００６】
上記目的を達成する本発明は、本体と、デンタルフロスが巻かれ、本体内部に収納されるスプールと、本体に進退可能に取付けられ、スプールから伸延するデンタルフロスを支持する湾曲した２つの支持バーが形成されている支持部材と、本体に回転可能に取付けられる制御部材と、本体の内部に回転可能に取付けられ、上端部が支持部材と連結し、下端部が制御部材と連結する回転部材を有し、制御部材を回転させることにより、回転部材が回転して、支持部材を本体に対して軸方向に移動させるデンタルフロスホルダである。
【発明の効果】
【０００７】
上記のように構成した本発明は、制御部材を回転させることで支持部材が進退するので、デンタルフロス自体の取付け、所定の張力の付与、弛緩操作による交換操作が容易で、しかも、支持バーが湾曲しているので、口内に深く差し入れることができ、操作性が良い。
【０００８】
また、制御部材を回転させて支持部材を本体から取り外し可能となっているので、ユーザーによる構成部材の分解や組み立てが、道具を用いることなく簡単にでき、口内に挿し込まれる支持バーの清掃も手軽にできる。
【発明を実施するための最良の形態】
【０００９】
以下、本発明の実施の形態を、図面を参照しつつ説明する。
【００１０】
図１は本発明の実施の形態に係るデンタルフロスホルダの全体を示す斜視図、図２は同デンタルフロスホルダの要部分解斜視図、図３は同デンタルフロスホルダの本体の斜視図、図４は同デンタルフロスホルダの正面断面図、図５は同デンタルフロスホルダの側面断面図である。
【００１１】
このデンタルフロスホルダは、円筒状をした本体２を有し、本体２の上部には掛け渡されたデンタルフロスを支持する支持部材１が設けられ、本体２の下部には支持部材１を本体２に対して軸方向に動かす回転部材３（図２参照）を回転させる制御部材５が設けられている。
【００１２】
本体２は、第１筒状部２１と、第１筒状部２１より大径の第２筒状部２６とからなり、第１筒状部２１と第２筒状部２６との間はテーパ状に成形されている。第１筒状部２１の内部には支持部材１が挿入される断面矩形状のガイド孔２２が形成され、外側面にはデンタルフロスの引張りや弛緩操作行なう側面ネジ部２４とナット２５が設けられている。また、第１筒状部２１の内部に形成されているガイド孔２２の終端部の周りは、弾性を有する複数の固定フック２３が形成され、支持部材１の下端を支持するように先端が内方に突出する鉤状とされている。
【００１３】
第２筒状部２６の内部には、上端部であって、固定フック２３の外周に環状の受部２７が形成され、下端部位には、軸方向に伸延する複数の固定溝２９が刻設されている。第２筒状部２６の外面には、上部にカッター２６１が設けられ、下端部にＶ字状に切り込まれた切込み部２８が形成されている。
【００１４】
支持部材１は、ガイド孔２２内で進退可能となるように、下部にガイド孔２２に対応する角柱状のガイド部１１が形成され、ガイド部１１内には下方から挿入されたネジ棒３１が螺合するガイド部用ネジ孔１２が設けられている（図４参照）。
【００１５】
支持部材１の上部には、略逆Ｌ字状に湾曲した２つの支持バー１３，１４が相互に所定の間隔を持って対設されている。２つの支持バー１３，１４には、上面にガイド溝１３１，１４１が、先端に先端凹部１３２，１４２がそれぞれ形成されている。
【００１６】
回転部材３は、上部に、ガイド部１１のガイド部用ネジ孔１２にねじ込まれるネジ棒３１と、ネジ棒の基部に形成され下方に向かって拡径するテーパ状の固定部３２とを有し、固定部３２は、鉤状をした固定フック２３に係合し、下方への変位が規制される。固定部３２の下には、円盤状の当接部３３が形成され、当接部３３が第２筒状部２６の受部２７と当接し、回転部材３の半径方向と軸方向の変位を規制する。したがって、回転部材３は、本体２に対して回転可能ではあるが、軸方向には規制されて保持されることになる。
【００１７】
また、回転部材３の下端部には、栓体部用ネジ部３４が形成され、栓体部用ネジ部３４の上には断面形状が六角形の係合部３５が形成されている。
【００１８】
制御部材５は、図２，４に示すように、上端部が第２筒状部２６の下端部に接している筒体であり、この筒体内中間位置に形成された仕切壁部分には、回転部材３の係合部３５が嵌合する断面６角形状の係合孔５１が形成されている。回転部材３の栓体部用ネジ部３４は、係合孔５１を挿通し、凹部５２内に設けられた栓体６と螺合され、この螺合により回転部材３、制御部材５および栓体６が一体的に連結されることになる。
【００１９】
本体２の内部には、第２筒状部２６から制御部材５にかけて固定スリーブ４が収納され、固定スリーブ４の上端部は、回転部材３の当接部３３に接し、下端部は、制御部材５の内部の仕切壁に接している。固定スリーブ４は、下端が閉じた内壁を有する筒状体であり、内部にデンタルフロス７１が巻かれたスプール７が収納される収納部４４を有し、収納部４４の内壁には、回転部材３が貫通する通孔４３が形成されている。固定スリーブ４の外周面は、軸方向に伸延する複数の固定リブ４１が形成され、固定リブ４１と第２筒状部２６内面の固定溝２９が凹凸嵌合し、固定スリーブ４を第２筒状部２６内部で回転しないように保持する。
【００２０】
スプール７は、回転部材３および固定スリーブ４に対して回転可能に設けられ、巻回されているデンタルフロス７１の端部は、図５に示すように、固定スリーブ４の上端部に形成されている切り抜き部４２と、第２筒状部２６の切込み部２８を通って外部に導かれる。
【００２１】
つまり、スプール７より引き出されたデンタルフロス７１は、固定スリーブ４の切り抜き部４２を通り、第２筒状部２６の切込み部２８から外部に引き出され、略Ｓ字状の経路を通って引き出されることになるため、デンタルフロス７１の引出し量は制限されつつ引き出される。そして、デンタルフロス７１は、図１に示すように、本体２の側面ネジ部２４とナット２５の隙間を通り、支持バー１３のガイド溝１３１→先端凹部１３２→支持バー１４の先端凹部１４２→ガイド溝１４１を経て、最後に、本体２の側面ネジ部２４とナット２５の隙間に至る。ナット２５を側面ネジ部２４にねじ込むと、デンタルフロス７１は、固定され、取付けが完了する。なお、不要なデンタルフロス７１は、第２筒状部２６のカッター２６１によって切断する。
【００２２】
次に、本実施形態の作用を説明する。
【００２３】
図６はデンタルフロスホルダの使用状態を説明するための全体斜視図である。図６において、まず、本体２に対し制御部材５を回転すると、係合孔５１および係合部３５を介して回転部材３が回動され、支持部材１のガイド部１１内でネジ棒３１が回転される。
【００２４】
しかし、ガイド部１１は、本体２のガイド孔２２により回転が規制されるため、ネジ棒３１のみがガイド部用ネジ孔１２内で回転し、支持部材１は、本体２のガイド孔２２に沿って進退する。
【００２５】
この結果、前述のように取付けられているデンタルフロスは、制御部材５の回転により所定の張力が付与されることになる。デンタルフロスホルダの使用時には、デンタルフロス７１に対し適度な張力を付与しなければならないが、本実施形態では、制御部材５を回転し、支持部材１を本体２から突き出することのみで、適度な張力を付与することができる。
【００２６】
この状態で本体２を持って支持バー１３，１４を口腔内に入れ、歯間を清掃する場合には、支持部材１に先端に同軸的に支持バー１３，１４が突出され、しかもこの支持バー１３，１４は湾曲されているので、口腔内に深く挿し込むことができるのみでなく、使用時には簡単に歯間にデンタルフロスを押し込むこともでき、清掃時の操作性は極めて良好で、歯間清掃も快適に行なうことができる。
【００２７】
デンタルフロス７１を使用した後は、制御部材５を反対方向に回転させると、支持部材１が本体２の内部に引き込まれることになり、張力が付与されているデンタルフロス７１が緩められる。したがって、用済後のデンタルフロス７１を支持部材１から外して引くと、新たなデンタルフロス７１がスプール７からＳ字状経路によりある程度の抵抗を持って引き出されるので、新たなデンタルフロス７１が不必要に引き出されることなく、速やかに取り出すことができる。そして、取り出したデンタルフロス７１を前述のように取付けると、簡単に新たなデンタルフロス７１と交換できる。
【００２８】
このように本実施形態では、本体２を把持した状態で制御部材５を回転させるのみで、本体２に対して支持部材１を進退させ、デンタルフロス７１に適度な張力を付与したり、弛緩する操作を行なうことができ、デンタルフロス７１の取付けや交換操作も容易にできる。また、デンタルフロスホルダを構成する部材は、工具を必要とせずに組み立てることができるため、ユーザーは全体を洗浄した後などに再組立てする場合でも、容易に組立てることができる。
【００２９】
本発明は、上述した実施の形態のみに限定されるものではなく、特許請求の範囲の範囲内で種々改変することができる。例えば、ガイド部１１とガイド孔２２の断面は、矩形状であるが、ガイド部１１が本体２に対して回転しない形状であれば、楕円、多角形などのような断面非円形形状であっても良い。
【図面の簡単な説明】
【００３０】
【図１】本発明に係る実施形態を示す斜視図である。
【図２】同実施形態の要部分解斜視図である。
【図３】同実施形態の本体の斜視図である。
【図４】同実施形態の正面断面図である。
【図５】同実施形態の側面断面図である。
【図６】同実施形態の使用状態を説明する全体斜視図である。
【図７】従来のデンタルフロスホルダを示す分解斜視図である。
【符号の説明】
【００３１】
１…支持部材、
２…本体、
３…回転部材、
４…固定スリーブ、
５…制御部材、
６…栓体、
７…スプール、
１１…ガイド部、
１２…ガイド部用ネジ孔、
１３，１４…支持バー、
２１…第１筒状部、
２２…ガイド孔、
２３…固定フック、
２４…側面ネジ部、
２５…ナット、
２６…第２筒状部、
２７…受部、
２８…切込み部、
２９…固定溝、
３１…ネジ棒、
３２…固定部、
３３…当接部、
３４…栓体部用ネジ部、
３５…係合部、
４１…固定リブ、
４２…切り抜き部、
４３…通孔、
４４…収納部、
５２…凹部、
６１…栓体部用ネジ孔、
７１…デンタルフロス、
１３１，１４１…ガイド溝、
１３２，１４２…先端凹部、
２６１…カッター。
【図１】
2005296236.tif 000003
【図２】
2005296236.tif 000004
【図３】
2005296236.tif 000005
【図４】
2005296236.tif 000006
【図５】
2005296236.tif 000007
【図６】
2005296236.tif 000008
【図７】
2005296236.tif 000009